(57)【特許請求の範囲】
【請求項１】
第１及び第２回線をそれぞれ介して相手方二者と通話を行う電話機であって、
ユーザ操作に応じて、音量アップ及び音量ダウンのいずれかの方向に、音量の変更を指示する指示手段と、
前記第１及び第２回線をそれぞれ介して入力される第１及び第２受話信号のレベルを検出する検出手段と、
前記指示手段により変更が指示された場合に、前記検出手段により検出された前記第１及び第２受話信号のレベルを比較する比較手段と、
前記比較手段による比較結果、第１受話信号と第２受話信号とのレベルが相違している場合において、前記第１及び第２回線それぞれの音量が近づく又は一致するように音量変更すべく、
（ｉ）前記指示手段により音量アップの方向に音量の変更が指示されているときには、第１及び第２受話信号のうち小さい方の信号のレベルを高めて、大きい方の信号のレベルに近付ける又は一致させるよう調節し、
（ｉｉ）前記指示手段により音量ダウンの方向に音量の変更が指示されているときには、第１及び第２受話信号のうち大きい方の信号のレベルを低めて、小さい方の信号のレベルに近付ける又は一致させるよう調節する調節手段と
を備えることを特徴とする電話機。
【請求項２】
前記調節手段は、
前記比較手段により第１受話信号のレベルが第２受話信号のレベルより高い場合において、
（ｉ）前記指示手段により音量アップの方向に音量の変更が指示されているときには、第２受話信号のレベルを高めて、第１受話信号のレベルと等しくなるよう調整し、
（ｉｉ）前記指示手段により音量ダウンの方向に音量の変更が指示されているときには、第１受話信号のレベルを低めて、第２受話信号のレベルと等しくなるよう調整し、
前記比較手段により第２受話信号のレベルが第１受話信号のレベルより高い場合において、
（ｉｉｉ）前記指示手段により音量アップの方向に音量の変更が指示されているときには、第１受話信号のレベルを高めて、第２受話信号のレベルと等しくなるよう調整し、
（ｉｖ）前記指示手段により音量ダウンの方向に音量の変更が指示されているときには、第２受話信号のレベルを低めて、第１受話信号のレベルと等しくなるよう調整する
ことを特徴とする請求項１記載の電話機。
【請求項３】
前記調節手段は、
前記比較手段により第１受話信号のレベルと第２受話信号のレベルとが等しい場合において、
（ｉ）前記指示手段により音量アップの方向に音量の変更が指示されているときには、第１受話信号のレベルと第２受話信号のレベルとを共に所定量高め、
（ｉｉ）前記指示手段により音量ダウンの方向に音量の変更が指示されているときには、第１受話信号のレベルと第２受話信号のレベルとを共に所定量低める
ことを特徴とする請求項１記載の電話機。
【請求項４】
前記指示手段は、
ユーザが音量のアップを指示するためのアップキーと、
ユーザが音量のダウンを指示するためのダウンキーとを備え、
かつ、ユーザによりアップキーが押下された場合には音量アップの方向に音量の変更を指示し、ユーザによりダウンキーが押下された場合には音量ダウンの方向に音量の変更を指示する
ことを特徴とする請求項１記載の電話機。
【請求項５】
前記指示手段は、更に、
ユーザが音量を、第１回線の音量と第２回線の音量との中間値に変更するよう指示するためのバランスキーを備えており、
かつ、ユーザによりバランスキーが押下された場合には、更に、第１回線の音量と第２回線の音量との中間という方向に音量の変更を指示し、
前記電話機は更に、
前記指示手段により中間という方向に音量の変更が指示されているときには、前記第１及び第２回線それぞれの音量が一致するように音量変更すべく、第１受話信号のレベルと第２受話信号のレベルとの中間値を、新たに、第１受話信号のレベルと第２受話信号のレベルとして共に定める中間値設定手段を備える
ことを特徴とする請求項４記載の電話機。
【発明の詳細な説明】
【０００１】
【発明の属する技術分野】
本発明は、相手方二者との通話が可能な電話機に関する。
【０００２】
【従来の技術】
従来より、一台で２本の加入回線を有する電話機がある。この電話機は、内部に備えられた通話路切替部によってユーザは、
i）２回線を使用して相手方二者と同時に通話する（三者通話）
ii）１回線を使用して相手方一者と通話する（二者通話）
iii）２回線を交互に切り替えて相手方二者と交互に通話する
の３通りのいずれも利用することができる。
【０００３】
また相手方二者と電話局（交換機）との間までは第１及び第２回線を介して接続され、交換機と本電話機との間では１回線で接続される電話機においてもユーザは、
iv)相手方を交換機にて切替ながら相手方二者と交互に通話する
ことができる。
【０００４】
【発明が解決しようとする課題】
ところで上記従来技術の電話機は、三者通話（従来技術のi）に相当）を利用した通話中にユーザが受話音量を調節すると、２回線とも受話音量が変化するよう構成されている。そのため、例えば、一方の回線の受話音量が大きく、他方の回線の受話音量が小さい場合に、ユーザが他方の回線の受話音量のみを大きくしたくて受話音量を調節しても、他方の回線の受話音量が大きくなるだけでなく、一方の回線の受話音量も大きくなり、場合によっては適正音量を越えて大きくなってしまうという問題がある。またその逆に適正音量を越えて小さくなっていしまうという問題もある。
【０００５】
従来技術のiii）やiv)においても同様の問題がおこる。
またi)やiii)の場合においてこれを解決するために、２回線それぞれに対応する受話音量調節キーを設けて、それぞれの受話音量を別個に調節できるようにした電話機の構成も考えられるが、その場合、ユーザは、２つの受話音量調節を別々に行う必要があり操作性が悪いという問題がある。また２つの受話音量調節キーと２回線との対応付けを把握しておく必要があり、ユーザにとっては操作上混乱しやすいという問題もある。
【０００６】
上記の問題に鑑み、本発明は、簡単な操作により両回線の受話音量をバランス良く調節することができる電話機の提供を目的とする。
【０００７】
【課題を解決するための手段】
上記課題を解決するため、本発明の電話機は、第１及び第２回線をそれぞれ介して相手方二者と通話を行う電話機であって、ユーザ操作に応じて、音量アップ及び音量ダウンのいずれかの方向に、音量の変更を指示する指示手段と、前記第１及び第２回線をそれぞれ介して入力される第１及び第２受話信号のレベルを検出する検出手段と、前記指示手段により変更が指示された場合に、前記検出手段により検出された前記第１及び第２受話信号のレベルを比較する比較手段と、前記比較手段による比較結果、第１受話信号と第２受話信号とのレベルが相違している場合において、前記第１及び第２回線それぞれの音量が近づく又は一致するように音量変更すべく、（ｉ）前記指示手段により音量アップの方向に音量の変更が指示されているときには、第１及び第２受話信号のうち小さい方の信号のレベルを高めて、大きい方の信号のレベルに近付ける又は一致させるよう調節し、（ｉｉ）前記指示手段により音量ダウンの方向に音量の変更が指示されているときには、第１及び第２受話信号のうち大きい方の信号のレベルを低めて、小さい方の信号のレベルに近付ける又は一致させるよう調節する調節手段とを備える。
【０００８】
前記調節手段は、前記比較手段により第１受話信号のレベルが第２受話信号のレベルより高い場合において、（ｉ）前記指示手段により音量アップの方向に音量の変更が指示されているときには、第２受話信号のレベルを高めて、第１受話信号のレベルと等しくなるよう調整し、（ｉｉ）前記指示手段により音量ダウンの方向に音量の変更が指示されているときには、第１受話信号のレベルを低めて、第２受話信号のレベルと等しくなるよう調整し、前記比較手段により第２受話信号のレベルが第１受話信号のレベルより高い場合において、（ｉｉｉ）前記指示手段により音量アップの方向に音量の変更が指示されているときには、第１受話信号のレベルを高めて、第２受話信号のレベルと等しくなるよう調整し、（ｉｖ）前記指示手段により音量ダウンの方向に音量の変更が指示されているときには、第２受話信号のレベルを低めて、第１受話信号のレベルと等しくなるよう調整する。
【０００９】
前記調節手段は、前記比較手段により第１受話信号のレベルと第２受話信号のレベルとが等しい場合において、（ｉ）前記指示手段により音量アップの方向に音量の変更が指示されているときには、第１受話信号のレベルと第２受話信号のレベルとを共に所定量高め、（ｉｉ）前記指示手段により音量ダウンの方向に音量の変更が指示されているときには、第１受話信号のレベルと第２受話信号のレベルとを共に所定量低めるよう構成される。
前記指示手段は、ユーザが音量のアップを指示するためのアップキーと、ユーザが音量のダウンを指示するためのダウンキーとを備え、かつ、ユーザによりアップキーが押下された場合には音量アップの方向に音量の変更を指示し、ユーザによりダウンキーが押下された場合には音量ダウンの方向に音量の変更を指示するよう構成される。
【００１０】
前記指示手段は、更に、ユーザが音量を、第１回線の音量と第２回線の音量との中間値に変更するよう指示するためのバランスキーを備えており、かつ、ユーザによりバランスキーが押下された場合には、更に、第１回線の音量と第２回線の音量との中間という方向に音量の変更を指示し、前記電話機は更に、前記指示手段により中間という方向に音量の変更が指示されているときには、前記第１及び第２回線それぞれの音量が一致するように音量変更すべく、第１受話信号のレベルと第２受話信号のレベルとの中間値を、新たに、第１受話信号のレベルと第２受話信号のレベルとして共に定める中間値設定手段を備える。
【００１１】
第１及び第２回線をそれぞれ介して相手方二者と通話を行う電話機であって、バランスキーを有し、ユーザによりバランスキーが押下された場合に、第１回線の音量と第２回線の音量との中間値にすべく、音量の変更を指示する指示手段と、前記指示手段により音量の変更が指示されているときには、前記第１及び第２回線それぞれの音量が一致するように音量変更すべく、第１受話信号のレベルと第２受話信号のレベルとの中間値を、新たに、第１受話信号のレベルと第２受話信号のレベルとして共に定める中間値設定手段とを備える。
【００１２】
【発明の実施の形態】
以下に本実施形態における電話機について図面を用いて説明する。
図１は、電話機の構成図である。
同図において電話機は、電話回線１、２（以下回線１、２と略す）、フック制御部３、４、音量調節部５、６、通話路切替部７、増幅部８、送受話器部９からなる通話回路と、送話検出部１０、音声積分部１１、１２、レベル検出部１３、１４、レベル記憶部１５、１６からなる音量検出回路と、操作部１７と、制御部１８とから構成される。
【００１３】
この構成により本電話機は、２者の相手方とユーザとで三者通話(従来技術のi)に相当）を行っている際、ユーザより音量の変更が指示されると、１回線及び２回線からの受話音量が同じになるようにして変更するよう構成されている。
以下に各構成要素について説明する。
＜通話回路＞
通話回路は、電話回線網に接続された回線１及び回線２より受信される受話信号をフック制御部３、４、音量調節部５、６、通話切替部７を介して増幅部８により増幅して受話音声として送受話器部９の受話器より出力する。
【００１４】
また、通話回路は、送受話器部９の送話器より入力される送話音声を増幅部８で送話信号に変換し、通話路切替部７、音量調節部５、６、フック制御部３、４を介して回線１、２より電話回線網へ出力する。
フック制御部３、４は、それぞれ制御部１８からのオン、オフ制御に従って、オフフック、オンフックを行い、回線１、２と送受話器部９との接続、非接続を行う。
【００１５】
音量調節部５、６は、それぞれ制御部１８からの音量調節指示に従って、回線１、２より受信される受話信号のレベルの変更を行い、変更語の受話信号を通話路切替部７に出力する。ここで制御部１８からの音量調節指示は、レベルのアップ又はダウンの指示とアップ又はダウンする量の指示との両方を含む。
通話路切替部７は、制御部１８の指示に応じて、回線１、２を同時に使用する通話（従来技術のiに相当）、回線１、２を交互に切り替えて使用する通話（従来技術のiiiに相当）、回線１及び２の何れか一方のみを使用する二者通話（従来技術のiiに相当）のための通話路切替を行う。
【００１６】
増幅部８は、通話路切替部７を介して入力される回線１、２の受話信号を増幅して受話音声として送受話器部９に出力し、また送受話器部９を介して入力される送話音声を増幅して送話信号として通話路切替部７に出力する。
＜音量検出回路＞
音量検出回路は、受話信号のレベルを一定期間毎に検出して更新記憶する。
【００１７】
詳しくは送話検出部１０は、増幅部８より出力される送話信号を検出し、検出している間は音声積分部１１、１２及びレベル検出部１３、１４にオフ信号を出力し、検出していない間はオン信号を出力する。これは音量検出回路が検出する受話信号のレベルから送話信号のレベルを排除するためであり、送話検出部１０によって送話信号が検出している間は、音声積分部１１、１２及びレベル検出部１３、１４が非動作になる。
【００１８】
音声積分部１１、１２は、送話検出部１０よりオン信号が入力されている間、音量調節部５、６より出力される受話信号を平滑化する。平滑後の受信信号レベルはそれぞれの受信信号の大きさに対応している。以下、各受信信号レベルをＶ１、Ｖ２とする。
レベル検出部１３、１４は、送話検出部１０よりオン信号が入力されている間、音声積分部１１、１２より一定期間毎にそれぞれの受話信号レベルＶ１、Ｖ２を検出する。レベル検出部１３、１４は、検出した受話信号レベルＶ１、Ｖ２を制御部１８を介してレベル記憶部１５、１６に格納する。
【００１９】
レベル記憶部１５、１６は、それぞれ受話信号レベルＶ１、Ｖ２を記憶する。レベル記憶部１５、１６は、新たな受話信号レベルＶ１、Ｖ２が格納される度に記憶内容を更新する。
以上のようにして音量検出回路においては、音声積分部１１、１２及びレベル検出部１３、１４によって検出される受話信号レベルがレベル記憶部１５、１６に記憶される。
＜操作部＞
操作部１７は、ダイヤルキー等の標準的な電話機が有する各種キーを備え、さらに、二者通話や三者通話の切替を指示する通話路切替キー（図外）、音量の変更を指示するアップキー１７１、ダウンキー１７２を備える。アップキー１７１及びダウンキー１７２は押下されることによってアップキー１７１は音量をアップする指示、ダウンキー１７２は音量をダウンする指示をそれぞれ制御部１８に出力する。
＜制御部＞
制御部１８は、発着信制御、通話制御等、標準的な電話機の機能を備える。また制御部１８は、操作部１７の通話路切替キーに応じて通話路切替部７の切替を制御する。
【００２０】
さらに制御部１８は、音量制御部１８１、レベル比較部１８２を備え、操作部１７のアップキー１７１及びダウンキー１７２からの指示を受付けると、指示に応じて受話信号のレベル変更指示を音量調節部５、６に出力する。
詳しくは、レベル比較部１８２は、音量制御部１８１より比較指示が出力されるとレベル記憶部１５、１６に記憶される受話信号レベルＶ１、Ｖ２を読み出してレベル差Ｖ＝Ｖ１−Ｖ２を音量制御部１８１に送り返す。
【００２１】
音量制御部１８１は、操作部１７のアップキー１７１及びダウンキー１７２からの指示を受付けたとき、そのときレベル記憶部１５、１６に記憶される受話信号レベルＶ１、Ｖ２のレベル差とアップ、ダウン指示とに応じて音量調節部５、６に受話信号レベルの変更を指示する。
図２は、音量制御部１８１の処理手順を示すフローチャートである。
【００２２】
同図において、音量制御部１８１はアップキー１７１又はダウンキー１７２より音量アップ又はダウンの指示を受付けると（ステップ１）、レベル比較部１８２に比較指示を出力する（ステップ２）。
比較指示出力の結果、レベル比較部１８２より受話信号レベルＶ１、Ｖ２のレベル差Ｖ＝Ｖ１−Ｖ２が返されると（ステップ３）、音量制御部１８１は、音量調節指示処理を行う（ステップ４）。
【００２３】
図３は、音量調節指示処理の詳細な制御論理を示す表である。
同図によれば、音量調節指示処理において音量制御部１８１は、アップキー１７１又はダウンキー１７２による音量アップ又はダウンの指示と、レベル比較部１８２から入力されるレベル差Ｖの大小（Ｖ＞０、Ｖ＝０、Ｖ＜０）との組み合わせによって音量調節部５、６の双方あるいは何れか一方に音量調節指示を出力する。
【００２４】
詳しくは、音量制御部１８１は、操作部１７よりアップキー１７１（又はダウンキー１７２）による音量アップ（又は音量ダウン）の指示を受付けており、かつレベル比較部１８２より入力されるレベル差Ｖが正の値である場合には、音量調節部６（又は音量調節部５）に受話信号レベルをＶだけアップ（又はダウン）するよう指示する。これによって回線１の受話信号と回線２の受話信号とは、受話信号レベルがレベルの高い方（又は小さい方）に合わせて同じになる。
【００２５】
また、音量制御部１８１は、操作部１７よりアップキー１７１（又はダウンキー１７２）による音量アップ（又は音量ダウン）の指示を受付けており、かつレベル比較部１８２より入力されるレベル差Ｖが０である場合には、音量調節部５、６共に受話音量レベルを所定量ｎだけアップ（又はダウン）するよう指示する。ここにおいて所定量ｎは、予め音量制御部１８１が記憶している値である。これによって回線１の受話信号と回線２の受話信号とは双方とも受話信号レベルが音量調節部５、６によってアップ（又はダウン）されて、通話路切替部７、増幅部８、送受話器部９を介して受話音声として出力される。
【００２６】
また、音量制御部１８１は、操作部１７よりアップキー１７１（又はダウンキー１７２）による音量アップ（又は音量ダウン）の指示を受付けており、かつレベル比較部１８２より入力されるレベル差Ｖが負の値である場合には、音量調節部５（又は音量調節部６）に受話信号レベルをＶだけアップ（又はダウン）するよう指示する。これによって回線１の受話信号と回線２の受話信号とは、受話信号レベルがレベルの高い方（又は小さい方）に合わせて同じになる。
【００２７】
以上のように構成することによって本実施形態における電話機は、音量アップ（又はダウン）が指示されている場合に受話信号レベルＶ１とＶ２とに差があれば、低い方（又は高い方）を高い方（又は低い方）と同じレベルになるよう調節し、また音量アップ（又はダウン）が指示されている場合に受話信号レベルＶ１とＶ２とが同値である場合には、双方のレベルを所定量ｎだけ高く（又は低く）する。
【００２８】
こうすることによって本実施形態における電話機は、音量アップ又はダウンの操作によって一方の回線側が適正音量を越えて大きく又は小さくなってしまうという問題が起こらず、また１組のアップキー１７１及びダウンキー１７２を操作するという簡単な操作によって両回線の受話音量を変更することができる。
なお、本実施形態において図３に示した音量調節指示においては、受話信号レベルＶ１とＶ２との間に差がある場合、一回のアップ又はダウンの指示によってＶ１＝Ｖ２となるよう構成している。このように構成する代わりに、受話信号レベルＶ１とＶ２との間に差がある場合、一回のアップ又はダウンの指示によってＶ１＝Ｖ２に近づくよう何れか一方の受話信号レベルを所定量だけアップ又はダウンするよう構成してもよい。例えば、仮にＶ１＝１０でＶ２＝４であって、アップの指示があった場合に、所定量３だけアップしてＶ２＝７とするのである。こうすることによって、ユーザは、受話信号レベルの低い方（又は高いほう）を少しだけアップ又はダウンさせたいといった微調整を行うのに有用となる。
【００２９】
また、本実施形態において操作部１７は、音量調節のためのキーとしてアップキー１７１及びダウンキー１７２を備える。これにもう一つキーを設け（これを仮にバランスキーと呼ぶ）、このバランスキーが押下された場合には、音量制御部１８１は、受話信号レベルＶ１とＶ２との中間値のレベルになるよう音量調節部５、６に音量調節指示を出すという機能を加えても良い。
【００３０】
この構成によって、ユーザは、一方のみあるいは両方の音量を大きく又は小さくしたい場合には、アップキー１７１又はダウンキー１７２を押下することによって対処し、一方の音量と他方の音量との中間の音量にしたい場合には、バランスキーを押下することによって対処することができる。
また本実施形態においてアップキー１７１及びダウンキー１７２の形状は、押しボタンやつまみ等、アップ又はダウンを指示できる構成であれば何でも良い。
【００３１】
また、上記実施形態では、本電話機と相手方二者との間で同時に通話する（従来技術のi）に相当）場合を説明したが、相手方を切り替えて通話する（従来技術のiii)に相当）場合であってもよい。この場合、図１の構成において制御部１８は、実施形態の構成に加えて、第１回線が接続されている間はレベル検出部１３より出力される受話信号レベルＶ１をレベル記憶部１５に格納し、第２回線が接続されている間はレベル検出部１４より出力される受話信号レベルＶ２をレベル記憶部１６に格納するよう構成すればよい。これによってレベル記憶部１５、１６には、接続された回線側の受話信号レベルが更新記憶されることになる。
【００３２】
さらに上記実施形態では、相手方二者と本電話機との間で第１及び第２回線を介して接続される場合を説明したが、次のように接続されていてもよい。すなわち、相手方二者と電話局（交換機）との間までは第１及び第２回線を介して接続され、交換機と本電話機との間では１回線（相手方との関係では論理的に２回線）で接続されていてもよい。この場合、本電話機からの操作により相手方を交換機にて切り替えながら行う相手方二者との通話（従来技術のiv）に相当）においても本発明を適用してもよい。
【００３３】
この場合において電話機と接続する交換機は、いわゆる通話中着信（call waiting）サービスをサポートした交換機であって、電話機の制御部が出力する接続切替指示に応じて一方の相手方の第１回線と他方の相手方の第２回線との接続を交互に切り替える。一方電話機は、制御部と音量検出部と操作部と音量調節部とを有する。制御部は交換機に対する接続切替指示の出力と、接続切替指示出力毎の受話信号レベルの比較と、図３の制御論理に基いた音量調節制御とを行う。音量検出部は、制御部の接続切替指示の出力に同期して第１回線を介した受話信号レベルｖ１の検出と第２回線を介した受話信号レベルｖ２の検出とを交互に切り替えて行う。操作部は、受話音量のアップ又はダウンを制御部に指示する。音量調節部は、制御部の音量調節制御に従って受話信号レベルｖ１及びｖ２のレベルを調節する。
【００３４】
これらの構成によって操作部が音量の変更を指示すると、制御部は音量検出部によって検出された受話信号レベルｖ１とｖ２とを比較して、比較結果であるレベル差と音量変更指示とに基いて図３の制御論理により音量調節部に音量調節指示を出力する。ここで制御部は、交換機に接続切替指示を出力する度に音量調節指示を出力する。音量調節部は、音量調節指示に従って、交互に切り替えられて受信される第１回線を介した受話信号と第２回線を介した受話信号のレベルを交互に調節する。
【００３５】
このような構成により例えば、受話信号レベルｖ１とｖ２とのレベル差がｖ（ｖ１＞ｖ２）である場合において操作部より音量ダウンの指示があると、制御部は、第１回線の受話音声を受信する間は受話信号レベルｖ１の出力をｖだけ小さくするよう指示して、一方、第２回線の受話音声を受信する間は受話信号レベルｖ２の出力をｖだけ戻す（大きくする）よう音量調節部に指示する。以上によって電話機は簡単な操作により相手方二者からの受話音量をバランス良く調節することができる。
【００３６】
【発明の効果】
本発明の電話機は、第１及び第２回線をそれぞれ介して相手方二者と通話を行う電話機であって、ユーザ操作に応じて、音量アップ及び音量ダウンのいずれかの方向に、音量の変更を指示する指示手段と、前記第１及び第２回線をそれぞれ介して入力される第１及び第２受話信号のレベルを検出する検出手段と、前記指示手段により変更が指示された場合に、前記検出手段により検出された前記第１及び第２受話信号のレベルを比較する比較手段と、前記比較手段による比較結果、第１受話信号と第２受話信号とのレベルが相違している場合において、前記第１及び第２回線それぞれの音量が近づく又は一致するように音量変更すべく、（ｉ）前記指示手段により音量アップの方向に音量の変更が指示されているときには、第１及び第２受話信号のうち小さい方の信号のレベルを高めて、大きい方の信号のレベルに近付ける又は一致させるよう調節し、（ｉｉ）前記指示手段により音量ダウンの方向に音量の変更が指示されているときには、第１及び第２受話信号のうち大きい方の信号のレベルを低めて、小さい方の信号のレベルに近付ける又は一致させるよう調節する調節手段とを備える。
【００３７】
この構成によれば、本発明の電話機は、前記指示手段によって受話音量の変更が指示された場合に調節手段は、第１及び第２回線の受話音量が近づくように調節するので、変更指示によって一方の受話音量が適正音量を越えて大きく又は小さくなるという問題が解消され、また第１及び第２回線それぞれ別個に受話音量の変更を指示する必要なく１回の変更指示によって音量を変更することができるという効果がある。
【００３８】
前記調節手段は、前記比較手段により第１受話信号のレベルが第２受話信号のレベルより高い場合において、（ｉ）前記指示手段により音量アップの方向に音量の変更が指示されているときには、第２受話信号のレベルを高めて、第１受話信号のレベルと等しくなるよう調整し、（ｉｉ）前記指示手段により音量ダウンの方向に音量の変更が指示されているときには、第１受話信号のレベルを低めて、第２受話信号のレベルと等しくなるよう調整し、前記比較手段により第２受話信号のレベルが第１受話信号のレベルより高い場合において、（ｉｉｉ）前記指示手段により音量アップの方向に音量の変更が指示されているときには、第１受話信号のレベルを高めて、第２受話信号のレベルと等しくなるよう調整し、（ｉｖ）前記指示手段により音量ダウンの方向に音量の変更が指示されているときには、第２受話信号のレベルを低めて、第１受話信号のレベルと等しくなるよう調整する。
【００３９】
この構成によれば本発明の電話機は、第１及び第２受話信号のレベルを検出して比較し、その比較結果に基いて第１及び第２受話信号のレベルが近づくようにレベルを調節するので上記効果と同様、変更指示によって一方の受話音量が適正音量を越えて大きくまたは小さくなるという問題が解消され、また第１および第２回線それぞれ別個に受話音量の変更を指示する必要なく１回の変更指示によって音量を変更することができる。
【００４０】
また、この構成によれば本発明の電話機は、第１及び第２受話信号のレベルのうち何れか一方のレベルを調節することにより受話音量を同じにすることができる。
【００４１】
前記調節手段は、前記比較手段により第１受話信号のレベルと第２受話信号のレベルとが等しい場合において、（ｉ）前記指示手段により音量アップの方向に音量の変更が指示されているときには、第１受話信号のレベルと第２受話信号のレベルとを共に所定量高め、（ｉｉ）前記指示手段により音量ダウンの方向に音量の変更が指示されているときには、第１受話信号のレベルと第２受話信号のレベルとを共に所定量低めるよう構成される。
この構成によれば本発明の電話機は、両回線の受話音量が同じである場合には、指示手段の指示に応じて調節手段が第１及び第2受話信号両方のレベルを所定量調節することによって両回線の音量を共に調節することができる。
【００４２】
前記指示手段は、更に、ユーザが音量を、第１回線の音量と第２回線の音量との中間値に変更するよう指示するためのバランスキーを備えており、かつ、ユーザによりバランスキーが押下された場合には、更に、第１回線の音量と第２回線の音量との中間という方向に音量の変更を指示し、前記電話機は更に、前記指示手段により中間という方向に音量の変更が指示されているときには、前記第１及び第２回線それぞれの音量が一致するように音量変更すべく、第１受話信号のレベルと第２受話信号のレベルとの中間値を、新たに、第１受話信号のレベルと第２受話信号のレベルとして共に定める中間値設定手段を備える。
第１及び第２回線をそれぞれ介して相手方二者と通話を行う電話機であって、バランスキーを有し、ユーザによりバランスキーが押下された場合に、第１回線の音量と第２回線の音量との中間値にすべく、音量の変更を指示する指示手段と、前記指示手段により音量の変更が指示されているときには、前記第１及び第２回線それぞれの音量が一致するように音量変更すべく、第１受話信号のレベルと第２受話信号のレベルとの中間値を、新たに、第１受話信号のレベルと第２受話信号のレベルとして共に定める中間値設定手段とを備える。
【００４３】
前記指示手段は、ユーザが音量のアップを指示するためのアップキーと、ユーザが音量のダウンを指示するためのダウンキーとを備え、かつ、ユーザによりアップキーが押下された場合には音量アップの方向に音量の変更を指示し、ユーザによりダウンキーが押下された場合には音量ダウンの方向に音量の変更を指示するよう構成されるので、ユーザは、アップキーとダウンキーとを操作することによって簡単に両回線の音量をバランス良く変更できるという効果がある。
【図面の簡単な説明】
【図１】本実施形態における電話機の構成図である。
【図２】音量制御部１８１の処理手順を示すフローチャートである。
【図３】音量調節指示処理の詳細な制御論理を示す表である。
【符号の説明】
３、４      フック制御部
５、６      音量調節部
７          通話路切替部
８          増幅部
９          送受話器部
１０        送話検出部
１１、１２  音声積分部
１３、１４  レベル検出部
１５、１６  レベル記憶部
１７        操作部
１７１      アップキー
１７２      ダウンキー
１８        制御部
１８１      音量制御部
１８２      レベル比較部
【図１】
0003702111.tif 000002
【図２】
0003702111.tif 000003
【図３】
0003702111.tif 000004